(57)【特許請求の範囲】
【請求項１】
基地局と移動局との間でデータ通信を通信チャネルで行うものであって、移動局にあって制御チャネルおよび通信チャネルが同期している通信システムにおいて、
移動局は、基地局から制御チャネル上でいずれかの信号が受信されたことによって通信チャネルの基地局から自己に向かう下り方向の同期を確立し、その通信チャネルの下り方向の同期を確立したことを通知するための同期確立完了通知信号を基地局に送信させる制御手段を備え、
基地局は、移動局から同期確立完了通知信号が受信されたことによって移動局との間でデータ通信を通信チャネルで開始する制御手段を備えたことを特徴とする通信システム。
【請求項２】
移動局の制御手段は、同期用ビットの領域が基地局からの信号よりも大きい信号を基地局に送信させ、
基地局の制御手段は、移動局から受信された前記信号に格納されている同期用ビットを識別することによって通信チャネルの移動局から自己に向かう上り方向の同期を確立することを特徴とする請求項１記載の通信システム。
【請求項３】
基地局と移動局との間でデータ通信を通信チャネルで行う通信システムにおいて、
移動局は、同期用ビットの領域が基地局からの信号よりも大きい信号を基地局に送信させる制御手段を備え、
基地局は、移動局から受信された前記信号に格納されている同期用ビットを識別することによって通信チャネルの移動局から自己に向かう上り方向の同期を確立する制御手段を備えたことを特徴とする通信システム。
【請求項４】
制御チャネルおよび通信チャネルが同期し、移動局から同期確立完了通知信号が受信されたことによって移動局との間でデータ通信を通信チャネルで開始するように構成された基地局との間でデータ通信を通信チャネルで行う移動局において、
基地局から制御チャネル上でいずれかの信号が受信されたことによって通信チャネルの基地局から自己に向かう下り方向の同期を確立し、その通信チャネルの下り方向の同期を確立したことを通知するための同期確立完了通知信号を基地局に送信させる制御手段を備えたことを特徴とする移動局。
【請求項５】
基地局は、移動局から受信された同期用ビットの領域が基地局からの信号よりも大きい信号に格納されている同期用ビットを識別することによって通信チャネルの移動局から自己に向かう上り方向の同期を確立するように構成され、
制御手段は、同期用ビットの領域が基地局からの信号よりも大きい信号を基地局に送信させることを特徴とする請求項４記載の移動局。
【請求項６】
移動局から受信された同期用ビットの領域が基地局からの信号よりも大きい信号に格納されている同期用ビットを識別することによって通信チャネルの移動局から自己に向かう上り方向の同期を確立するように構成された基地局との間でデータ通信を通信チャネルで行う移動局において、
同期用ビットの領域が基地局からの信号よりも大きい信号を基地局に送信させる制御手段を備えたことを特徴とする移動局。
【請求項７】
基地局から制御チャネル上でいずれかの信号が受信されたことによって通信チャネルの基地局から自己に向かう下り方向の同期を確立して通信チャネルの下り方向の同期を確立したことを通知するための同期確立完了通知信号を基地局に送信するように構成された移動局との間でデータ通信を通信チャネルで行う基地局において、
移動局から同期確立完了通知信号が受信されたことによって移動局との間でデータ通信を通信チャネルで開始する制御手段を備えたことを特徴とする基地局。
【請求項８】
移動局は、同期用ビットの領域が基地局からの信号よりも大きい信号を基地局に送信するように構成され、
制御手段は、移動局から受信された前記信号に格納されている同期用ビットを識別することによって通信チャネルの移動局から自己に向かう上り方向の同期を確立することを特徴とする請求項７記載の基地局。
【請求項９】
同期用ビットの領域が基地局からの信号よりも大きい信号を基地局に送信するように構成された移動局との間でデータ通信を通信チャネルで行う基地局において、
移動局から受信された前記信号に格納されている同期用ビットを識別することによって通信チャネルの移動局から自己に向かう上り方向の同期を確立する制御手段を備えたことを特徴とする基地局。
【発明の詳細な説明】
【０００１】
【発明の属する技術分野】
本発明は、基地局と移動局との間でデータ通信を行うものであって、移動局にあって制御チャネルおよび通信チャネルが同期している通信システム、上記通信システム内の移動局および基地局に関する。
【０００２】
【発明が解決しようとする課題】
図７は、基地局と移動局との間でデータ通信を行う通信システムにおいて、データ通信を開始するまでの従来のシーケンスを示している。この場合、移動局が発呼した場合を考えると、移動局は、制御チャネル上でリンクチャネル確立要求信号を基地局に送信する。基地局は、移動局から制御チャネル上でリンクチャネル確立要求信号を受信すると、通信チャネルのキャリアセンスを行い、制御チャネル上でリンクチャネル割当信号を移動局に送信し、移動局は、基地局から制御チャネル上でリンクチャネル割当信号を受信すると、通信チャネルのキャリアセンスを行い、通信チャネル上で同期バースト信号を基地局に送信する。
【０００３】
次いで、基地局は、移動局から通信チャネル上で同期バースト信号を受信すると、通信チャネルの移動局から自己に向かう上り方向の同期を確立し、通信チャネル上で同期バースト信号を移動局に送信する。そして、移動局は、基地局から通信チャネル上で同期バースト信号を受信すると、通信チャネルの基地局から自己に向かう下り方向の同期を確立する。
【０００４】
そして、移動局は、これ以降、基地局との間でデータ通信を開始し、ＳＡＢＭ（Ｓｅｔ  Ａｓｙｎｃｈｒｏｎｏｕｓ  Ｂａｌａｎｃｅｄ  Ｍｏｄｅ）コマンドを基地局に送信し、基地局は、移動局からＳＡＢＭコマンドを受信すると、ＵＡ（Ｕｎｎｕｍｂｅｒｅｄ  Ａｃｋｎｏｗｌｅｄｇｅ）レスポンスを基地局に送信する。このように、従来は、基地局と移動局との間で同期バースト信号を送受信することによって、通信チャネルの移動局から基地局に向かう上り方向および基地局から移動局に向かう下り方向の同期を確立するものである。
【０００５】
ところで、このような同期バースト信号を送受信することによって同期を確立する方法は、回線交換通信のように同期を確立した後にデータを連続的に通信するものであれば、同期バースト信号の送受信がデータ通信に係る全体の処理に与える影響は比較的小さいものである。
【０００６】
しかしながら、これに対して、パケット交換通信のようにデータを断続的に通信するものであれば、データ通信を再開する都度、同期バースト信号を送受信することになるので、同期バースト信号の送受信がデータ通信に係る全体の処理に与える影響は比較的大きく、同期バースト信号の送受信が通信効率の低下を招くという問題がある。
【０００７】
本発明は、上記した事情に鑑みてなされたものであり、その目的は、パケット交換通信を行う場合において、通信効率の向上を図ることができる通信システム、移動局および基地局を提供することにある。
【０００８】
【課題を解決するための手段】
請求項１記載の通信システムによれば、移動局において、制御手段は、基地局から制御チャネル上でいずれかの信号（例えば報知信号）が受信されると、通信チャネルの基地局から自己に向かう下り方向の同期を確立し、その通信チャネルの下り方向の同期を確立したことを通知するための同期確立完了通知信号を基地局に送信させる。そして、基地局において、制御手段は、移動局から同期確立完了通知信号が受信されると、移動局との間でデータ通信を通信チャネルで開始する。したがって、従来のものとは異なって、同期バースト信号を送受信することを不要として、通信チャネルの基地局から移動局に向かう下り方向の同期を確立することができ、それに続いて、データ通信を通信チャネルで開始することができることから、パケット交換通信を行う場合において、通信効率の向上を図ることができる。
【０００９】
請求項２記載の通信システムによれば、移動局において、制御手段は、同期用ビットの領域が基地局からの信号よりも大きい信号を基地局に送信させる。そして、基地局において、制御手段は、移動局から受信された同期用ビットの領域が基地局からの信号よりも大きい信号に格納されている同期用ビットを識別することによって通信チャネルの移動局から自己に向かう上り方向の同期を確立する。したがって、同期バースト信号を送受信することを不要として、通信チャネルの基地局から移動局に向かう下り方向の同期を確立することができるのみでなく、通信チャネルの移動局から基地局に向かう上り方向の同期をも確立することができることから、通信効率の向上をさらに図ることができる。
【００１０】
請求項３記載の通信システムによれば、移動局において、制御手段は、同期用ビットの領域が基地局からの信号よりも大きい信号を基地局に送信させる。そして、基地局において、制御手段は、移動局から受信された同期用ビットの領域が基地局からの信号よりも大きい信号に格納されている同期用ビットを識別することによって通信チャネルの移動局から自己に向かう上り方向の同期を確立する。したがって、同期バースト信号を送受信することを不要として、通信チャネルの移動局から基地局に向かう上り方向の同期を確立することができることから、通信効率の向上を図ることができる。
【００１１】
請求項４記載の移動局によれば、制御手段は、基地局から制御チャネル上でいずれかの信号（例えば報知信号）が受信されると、通信チャネルの基地局から自己に向かう下り方向の同期を確立し、その通信チャネルの下り方向の同期を確立したことを通知するための同期確立完了通知信号を基地局に送信させる。そして、基地局は、移動局から同期確立完了通知信号が受信されると、移動局との間でデータ通信を通信チャネルで開始する。したがって、上記した請求項１に記載したものと同様にして、同期バースト信号を送受信することを不要として、通信チャネルの基地局から移動局に向かう下り方向の同期を確立することができ、それに続いて、データ通信を通信チャネルで開始することができることから、パケット交換通信を行う場合において、通信効率の向上を図ることができる。
【００１２】
請求項５記載の移動局によれば、制御手段は、同期用ビットの領域が基地局からの信号よりも大きい信号を基地局に送信させる。そして、基地局は、移動局から同期用ビットの領域が基地局からの信号よりも大きい信号が受信されると、その移動局から受信された同期用ビットの領域が基地局からの信号よりも大きい信号に格納されている同期用ビットを識別することによって通信チャネルの移動局から自己に向かう上り方向の同期を確立する。したがって、上記した請求項２に記載したものと同様にして、同期バースト信号を送受信することを不要として、通信チャネルの基地局から移動局に向かう下り方向の同期を確立することができるのみでなく、通信チャネルの移動局から基地局に向かう上り方向の同期をも確立することができることから、通信効率の向上をさらに図ることができる。
【００１３】
請求項６記載の移動局によれば、制御手段は、同期用ビットの領域が基地局からの信号よりも大きい信号を基地局に送信させる。そして、基地局は、移動局から同期用ビットの領域が基地局からの信号よりも大きい信号が受信されると、その移動局から受信された同期用ビットの領域が基地局からの信号よりも大きい信号に格納されている同期用ビットを識別することによって通信チャネルの移動局から自己に向かう上り方向の同期を確立する。したがって、上記した請求項３に記載したものと同様にして、同期バースト信号を送受信することを不要として、通信チャネルの移動局から基地局に向かう上り方向の同期を確立することができることから、通信効率の向上を図ることができる。
【００１４】
請求項７記載の基地局によれば、移動局は、基地局から制御チャネル上でいずれかの信号が受信されたことによって通信チャネルの基地局から自己に向かう下り方向の同期を確立して通信チャネルの下り方向の同期を確立したことを通知するための同期確立完了通知信号を基地局に送信する。そして、制御手段は、移動局から同期確立完了通知信号が受信されると、移動局との間でデータ通信を通信チャネルで開始する。したがって、上記した請求項１に記載したものと同様にして、同期バースト信号を送受信することを不要として、通信チャネルの基地局から移動局に向かう下り方向の同期を確立することができ、それに続いて、データ通信を通信チャネルで開始することができることから、パケット交換通信を行う場合において、通信効率の向上を図ることができる。
【００１５】
請求項８記載の基地局によれば、制御手段は、移動局から同期用ビットの領域が基地局からの信号よりも大きい信号が受信されると、その受信された移動局から受信された同期用ビットの領域が基地局からの信号よりも大きい信号に格納されている同期用ビットを識別することによって通信チャネルの移動局から自己に向かう上り方向の同期を確立する。したがって、上記した請求項２に記載したものと同様にして、同期バースト信号を送受信することを不要として、通信チャネルの基地局から移動局に向かう下り方向の同期を確立することができるのみでなく、通信チャネルの移動局から基地局に向かう上り方向の同期をも確立することができることから、通信効率の向上をさらに図ることができる。
【００１６】
請求項９記載の基地局によれば、制御手段は、移動局から同期用ビットの領域が基地局からの信号よりも大きい信号が受信されると、その受信された移動局から受信された同期用ビットの領域が基地局からの信号よりも大きい信号に格納されている同期用ビットを識別することによって通信チャネルの移動局から自己に向かう上り方向の同期を確立する。したがって、上記した請求項３に記載したものと同様にして、同期バースト信号を送受信することを不要として、通信チャネルの移動局から基地局に向かう上り方向の同期を確立することができることから、通信効率の向上を図ることができる。
【００１７】
【発明の実施の形態】
以下、本発明をＰＨＳ（Ｐｅｒｓｏｎａｌ  Ｈａｎｄｙｐｈｏｎｅ  Ｓｙｓｔｅｍ）に適用した一実施例について、図１ないし図６を参照して説明する。
まず、図２は、基地局（ＣＳ：Ｃｅｌｌ  Ｓｔａｔｉｏｎ）の構成を機能ブロック図として示している。基地局１において、ＲＦ（Ｒａｄｉｏ  Ｆｒｅｑｕｅｎｃｙ  ）回路２は、アンテナ２ａが捕捉した電波をＲＦ処理することによって受信信号を生成し、生成した受信信号を復調回路３に出力し、復調回路３は、ＲＦ回路２から入力した受信信号を復調処理し、復調処理した受信信号を信号処理回路４に出力する。変調回路５は、信号処理回路４から入力した送信信号を変調処理し、変調処理した送信信号をＲＦ回路２に出力し、ＲＦ回路２は、変調回路５から入力した送信信号をＲＦ処理することによってアンテナ２ａから電波を放射する。また、信号処理回路４は、通信網側のＰＨＳ接続装置（図示せず）との間の信号処理を行う。
【００１８】
ＣＰＵ６（本発明でいう制御手段）は、マイクロコンピュータから構成されており、制御プログラムを実行することによって基地局１の動作を制御する。また、メモリ７は、各種の記憶情報を記憶しており、ＣＰＵ６は、メモリ７から各種の記憶情報を読出す。
【００１９】
次に、図３は、移動局（ＰＳ：Ｐｅｒｓｏｎａｌ  Ｓｔａｔｉｏｎ）の構成を機能ブロック図として示している。移動局８において、ＲＦ増幅回路９は、アンテナ１０が捕捉した電波をスイッチ１１を通じて受信信号として入力し、入力した受信信号を増幅し、増幅した受信信号を第１の乗算回路１２に出力する。第１の乗算回路１２は、ＲＦ増幅回路９から入力した受信信号と、周波数シンセサイザ１３からの局部発振信号とを乗算して中間周波数信号を生成し、生成した中間周波数信号をバンドパスフィルタ（ＢＰＦ）１４に出力し、バンドパスフィルタ１４は、第１の乗算回路１２から入力した中間周波数信号の不要周波数成分を除去し、不要周波数成分を除去した中間周波数信号を第２の乗算回路１５に出力する。
【００２０】
第２の乗算回路１５は、バンドパスフィルタ１４から入力した中間周波数信号と、局部発振回路１６からの局部発振信号とを乗算してベースバンド信号を生成し、生成したベースバンド信号を復調回路１７に出力し、復調回路１７は、第２の乗算回路１５から入力したベースバンド信号を復調処理し、復調処理したベースバンド信号をチャネルコーデック１８に出力する。そして、チャネルコーデック１８は、復調回路１７から入力したベースバンド信号を誤り訂正処理などし、音声データを音声コーデック１９を通じてスピーカ２０に出力し、また、受信制御データをＣＰＵ２１（本発明でいう制御手段）に出力する。
【００２１】
また、チャネルコーデック１８は、マイク２２から音声コーデック１９を通じて入力した音声データを中間周波数信号として変調回路２３に出力し、変調回路２３は、チャネルコーデック１８から入力した中間周波数信号を変調処理し、変調処理した中間周波数信号を第３の乗算回路２４に出力する。
【００２２】
第３の乗算回路２４は、変調回路２３から入力した中間周波数信号と、周波数シンセサイザ１３からの局部発振信号とを乗算して送信信号を生成し、生成した送信信号をバンドパスフィルタ２５に出力し、バンドパスフィルタ２５は、第３の乗算回路２４から入力した送信信号の不要周波数成分を除去し、不要周波数成分を除去した送信信号を電力増幅回路２６に出力する。
【００２３】
そして、電力増幅回路２６は、バンドパスフィルタ２５から入力した送信信号を電力増幅し、アンテナ１０は、電力増幅回路２６からスイッチ１１を通じて入力した送信信号を電波として放射する。
【００２４】
上記したＣＰＵ２１は、マイクロコンピュータから構成されており、制御プログラムを実行することによって移動局８の動作を制御する。また、ＣＰＵ２１は、キーボード２７のキー入力を検出することによって、キー入力に応じた動作を制御し、また、ＬＣＤ（Ｌｉｑｕｉｄ  Ｃｒｙｓｔａｌ  Ｄｉｓｐｌａｙ）２８に表示指令を出力することによって、ＬＣＤ２８の表示を制御する。また、メモリ２９は、各種の記憶情報を記憶しており、ＣＰＵ２１は、メモリ２９から各種の記憶情報を読出す。
【００２５】
次に、上記した構成の作用について、図１、図４ないし図６も参照して説明する。図４は、基地局１におけるＣＰＵ６が行う制御をフローチャートとして示しており、図５は、移動局８におけるＣＰＵ２１が行う制御をフローチャートとして示している。そして、図１は、このような制御に対応する基地局と移動局との間のシーケンスを示している。尚、移動局８においては、制御チャネルおよび通信チャネルが同期している。
【００２６】
まず、基地局１において、ＣＰＵ６は、キャリアセンスを行い（ステップＳ１）、制御チャネル上で下りパケット用通信チャネル割当信号を移動局８に送信させる（ステップＳ２）。
【００２７】
移動局８において、ＣＰＵ２１は、基地局１から制御チャネル上で下りパケット用通信チャネル割当信号が受信されたことを検出すると、ステップＴ１において「ＹＥＳ」と判定し、通信チャネルのキャリアセンスを行う（ステップＴ２）。そして、ＣＰＵ２１は、通信チャネルの基地局１から移動局８に向かう下り方向の同期を保持しているか否かを判定する（ステップＴ３）。
【００２８】
さて、ここで、ＣＰＵ２１は、通信チャネルの下り方向の同期を保持していなければ、ステップＴ３において「ＮＯ」と判定し、基地局１から制御チャネル上でいずれかの信号（例えば報知信号）が受信されたか否かを判定する（ステップＴ４）。そして、ＣＰＵ２１は、制御チャネル上でいずれかの信号が受信されたことを検出すると、ステップＴ４において「ＹＥＳ」と判定し、その受信されたいずれかの信号に同期することによって、制御チャネルおよび通信チャネルが同期していることから、通信チャネルの下り方向の同期を確立する（ステップＴ５）。そして、ＣＰＵ２１は、制御チャネル上で同期確立完了通知信号を基地局１に送信させる（ステップＴ６）。
【００２９】
基地局１において、ＣＰＵ６は、移動局８から制御チャネル上で同期確立完了通知信号が受信されたことを検出すると、ステップＳ３において「ＹＥＳ」と判定し、これ以降、データ通信を開始し、ＳＡＢＭ（Ｓｅｔ  Ａｓｙｎｃｈｒｏｎｏｕｓ  Ｂａｌａｎｃｅｄ  Ｍｏｄｅ）コマンドを移動局８に送信させる。
【００３０】
さて、ここで、信号のスロット構成について説明する。図６（ａ）は、基地局１から移動局８に向かう下り方向の信号であるＳＡＢＭおよびＩ（Ｉｎｆｏｍａｔｉｏｎ）のスロット構成を示しており、図６（ｂ）は、移動局８から基地局１に向かう上り方向の信号であるＵＡ（Ｕｎｎｕｍｂｅｒｅｄ  Ａｃｋｎｏｗｌｅｄｇｅ）およびＲＲ（Ｒｅｃｅｉｖｅ  Ｒｅａｄｙ  ）のスロット構成を示している。
【００３１】
この場合、移動局８から基地局１に向かう上り方向の信号であるＵＡおよびＲＲは、基地局１から移動局８に向かう下り方向の信号であるＳＡＢＭおよびＩと比較すると、プリアンブルの領域および同期ワードの領域が大きく確保されており、その分、データの領域が小さく確保されている。尚、ここでいうプリアンブルの領域および同期ワードの領域は、本発明でいう同期用ビットの領域に相当する。
【００３２】
さて、移動局８において、ＣＰＵ２１は、移動局８との間でデータ通信を開始した後では、基地局１からＳＡＢＭ或いはＩが受信されたことを検出すると、ステップＴ７において「ＹＥＳ」と判定し、その受信されたＳＡＢＭ或いはＩに同期することによって通信チャネルの下り方向の同期を保持する（ステップＴ８）。そして、ＣＰＵ２１は、データ通信を終了するまでの間にわたって（ステップＴ９）、上記したステップＴ７、Ｔ８の処理を繰返して行う。
【００３３】
一方、基地局１において、ＣＰＵ６は、移動局８との間でデータ通信を開始した後では、移動局８からＵＡ或いはＲＲが受信されたことを検出すると、ステップＳ４において「ＹＥＳ」と判定し、その受信されたＵＡ或いはＲＲに格納されているプリアンブルおよび同期ワードを識別することによって通信チャネルの移動局８から基地局１に向かう上り方向の同期を確立する（ステップＳ５）。そして、ＣＰＵ６は、データ通信を終了するまでの間にわたって（ステップＳ６）、上記したステップＳ４、Ｓ５の処理を繰返して行う。
【００３４】
以上に説明したように本実施例によれば、移動局８は、基地局１から制御チャネル上で下りパケット用通信チャネル割当信号を受信した後に、基地局１から制御チャネル上でいずれかの信号（例えば報知信号）を受信することによって、通信チャネルの基地局１から自己に向かう下り方向の同期を確立するように構成したので、従来のものとは異なって、同期バースト信号を送受信することを不要として、通信チャネルの基地局１から移動局８に向かう下り方向の同期を確立することができ、それに続いて、データ通信を開始することができ、これによって、パケット交換通信を行う場合において、通信効率の向上を図ることができる。
【００３５】
また、基地局１は、移動局８との間でデータ通信を開始した後に、移動局８からＵＡ或いはＲＲを受信し、その受信したＵＡ或いはＲＲに格納されているプリアンブルおよび同期ワードを識別することによって、通信チャネルの移動局８から自己に向かう上り方向の同期を確立するように構成したので、同期バースト信号を送受信することを不要として、通信チャネルの基地局１から移動局８に向かう下り方向の同期を確立することができるのみでなく、通信チャネルの移動局８から基地局１に向かう上り方向の同期をも確立することができ、これによって、通信効率の向上をさらに図ることができる。
【００３６】
本発明は、上記した実施例にのみ限定されるものでなく、次のように変形または拡張することができる。
ＰＨＳは、公衆システムおよび自営（事業所用）システムのうちのいずれであっても良く、また、公衆システムと自営システムとが混在する通信システムであっても良い。さらに、ＰＨＳに限らず、他の通信システムであっても良い。
移動局から基地局に向かう上り方向の信号であるＵＡおよびＲＲにおいて、プリアンブルの領域および同期ワードの領域は、他のビット数であっても良い。
【図面の簡単な説明】
【図１】本発明の一実施例を示すシーケンス図
【図２】基地局の構成を示す機能ブロック図
【図３】移動局の構成を示す機能ブロック図
【図４】基地局の制御内容を示すフローチャート
【図５】移動局の制御内容を示すフローチャート
【図６】信号のスロット構成を示す図
【図７】従来のシーケンス図
【符号の説明】
図面中、１は基地局、６はＣＰＵ（制御手段）、８は移動局、２１はＣＰＵ  （制御手段）である。
【図１】
0003546816.tif 000002
【図２】
0003546816.tif 000003
【図３】
0003546816.tif 000004
【図４】
0003546816.tif 000005
【図５】
0003546816.tif 000006
【図６】
0003546816.tif 000007
【図７】
0003546816.tif 000008